(57)【要約】【課題】部品点数を削減して製造コストの低減化を図ること。【解決手段】ケース本体１の内部に設けられた収納室４と、収納室４に上下方向に沿って複数段設けられた商品載置棚１０と、商品載置棚１０の前端部分に装着されたガイド部材２０とを備えたショーケースであって、ガイド部材２０は、商品載置棚１０の商品を載置する載置面よりも上方に突出する態様で形成され、載置面に載置された商品が前方に向けて転落することを防止するためのフェンス部２１と、フェンス部２１の前方に形成され、吹出口３ｂから吹き出された空気が通過して吸込口３ａに吸い込まれることを許容するスリットＳを有するガイド部２２と、ガイド部２２の前方に形成され、商品価格が表示されたタグ３０を保持するためのプライスレール部２３とが一体的に形成されて構成されている。【選択図】図４
2020151016.tif 000002
【特許請求の範囲】
【請求項１】
ケース本体の内部に該ケース本体の前面開口を臨む態様で設けられた収納室と、
前記収納室に上下方向に沿って複数段設けられた商品載置棚と、
前記商品載置棚の前端部分に装着されたガイド部材と
を備え、前記商品載置棚に載置された商品を所望の温度状態に維持して収納するショーケースであって、
前記ガイド部材は、
前記商品載置棚の商品を載置する載置面よりも上方に突出する態様で形成され、該載置面に載置された商品が前方に向けて転落することを防止するためのフェンス部と、
前記フェンス部の前方に形成され、かつ前記収納室の前方上部に開口する吹出口から吹き出された空気が通過して該収納室の前方下部に開口する吸込口に吸い込まれることを許容するスリットを有するガイド部と、
前記ガイド部の前方に形成され、かつ商品価格が表示されたタグを保持するためのプライスレール部と
が一体的に形成されて構成されたことを特徴とするショーケース。
【請求項２】
前記ガイド部材は、樹脂により構成されたことを特徴とする請求項１に記載のショーケース。
【請求項３】
前記ガイド部材は、光透過性材料により構成されたことを特徴とする請求項２に記載のショーケース。
【発明の詳細な説明】
【技術分野】
【０００１】
本発明は、ショーケースに関し、より詳細には、商品を所望の温度状態に維持して収納するショーケースに関するものである。
【背景技術】
【０００２】
従来、商品を所望の温度状態に維持して収納するショーケースとして、次のようなものが知られている。前面に開口を有するケース本体の内部の収納室に、商品載置棚が上下方向に沿って複数段設けられており、それぞれの商品載置棚における棚板に商品が載置されている。またケース本体内であって収納室外となる個所には、収納室の前方下部に開口する吸込口を通じて吸い込まれた収納室の内部の空気が通過する空気通路が形成されており、この空気通路には蒸発器が設置されている。この空気通路を通過する空気は、蒸発器で冷却され、その後に収納室の前方上部に開口する吹出口を通じて該収納室に吹き出される。吹出口から吹き出された空気が、吸込口に吸い込まれて空気通路を通過して収納室と空気通路とを循環することにより、ショーケースは、商品載置棚に載置された商品を所望の温度に維持して収納する。
【０００３】
このようなショーケースにおいては、各商品載置棚における棚板の前端部にスリットが形成された棚ガイド板が取り付けられ、吹出口から吹き出された空気がスリットを通過するようにして冷気漏れの低減化を図るようにしていた（例えば、特許文献１参照）。
【先行技術文献】
【特許文献】
【０００４】
【特許文献１】特開２０１０−２０７５６５号公報
【発明の概要】
【発明が解決しようとする課題】
【０００５】
ところで、上記ショーケースを構成する棚ガイド板は、金属製薄板を屈曲等して構成されていたため、次のような問題があった。
【０００６】
棚板に載置された商品が前方に落下してしまうことを防止するためのフェンス部材は、商品の損傷を防止する観点より樹脂材により構成されている。また商品価格が表示されたタグを保持するためのプライスレールは、透光性を有するとともに弾性変形することが望ましいので樹脂材により構成されているのが一般的である。そのため、金属製の棚ガイド板と、樹脂製のフェンス部材及びプライスレールを一体に形成することができなかった。
【０００７】
そのような棚ガイド板、フェンス部材及びプライスレールは、ショーケースに複数設けられた商品載置棚にそれぞれ取り付けられるものであるから、部品点数の増大が顕著になるという問題があった。
【０００８】
本発明は、上記実情に鑑みて、部品点数を削減して製造コストの低減化を図ることができるショーケースを提供することを目的とする。
【課題を解決するための手段】
【０００９】
上記目的を達成するために、本発明に係るショーケースは、ケース本体の内部に該ケース本体の前面開口を臨む態様で設けられた収納室と、前記収納室に上下方向に沿って複数段設けられた商品載置棚と、前記商品載置棚の前端部分に装着されたガイド部材とを備え、前記商品載置棚に載置された商品を所望の温度状態に維持して収納するショーケースであって、前記ガイド部材は、前記商品載置棚の商品を載置する載置面よりも上方に突出する態様で形成され、該載置面に載置された商品が前方に向けて転落することを防止するためのフェンス部と、前記フェンス部の前方に形成され、かつ前記収納室の前方上部に開口する吹出口から吹き出された空気が通過して該収納室の前方下部に開口する吸込口に吸い込まれることを許容するスリットを有するガイド部と、前記ガイド部の前方に形成され、かつ商品価格が表示されたタグを保持するためのプライスレール部とが一体的に形成されて構成されたことを特徴とする。
【００１０】
また本発明は、上記ショーケースにおいて、前記ガイド部材は、樹脂により構成されたことを特徴とする。
【００１１】
また本発明は、上記ショーケースにおいて、前記ガイド部材は、光透過性材料により構成されたことを特徴とする。
【発明の効果】
【００１２】
本発明によれば、ガイド部材が、商品載置棚の商品を載置する載置面よりも上方に突出する態様で形成され、該載置面に載置された商品が前方に向けて転落することを防止するためのフェンス部と、フェンス部の前方に形成され、かつ収納室の前方上部に開口する吹出口から吹き出された空気が通過して該収納室の前方下部に開口する吸込口に吸い込まれることを許容するスリットを有するガイド部と、ガイド部の前方に形成され、かつ商品価格が表示されたタグを保持するためのプライスレール部とが一体的に形成されて構成されているので、部品点数を削減して製造コストの低減化を図ることができるという効果を奏する。
【図面の簡単な説明】
【００１３】
【図１】図１は、本発明の実施の形態であるショーケースを示す断面側面図である。
【図２】図２は、図１に示した商品載置棚の前端部分を拡大して示す斜視図である。
【図３】図３は、図１に示した商品載置棚の前端部分を拡大して示す平面図である。
【図４】図４は、図２及び図３に示したガイド部材の縦断面図である。
【発明を実施するための形態】
【００１４】
以下に添付図面を参照して、本発明に係るショーケースの好適な実施の形態について詳細に説明する。
【００１５】
図１は、本発明の実施の形態であるショーケースを示す断面側面図である。ここで例示するショーケースは、ケース本体１の内部に商品を所望の温度に維持した状態で収納するものである。尚、以下においては、ケース本体１の内部に商品を所望の冷却温度に維持して収納するようにしたショーケースについて例示する。
【００１６】
ケース本体１は、前面に前面開口１ａを有した断熱筐体であり、その内部に仕切壁２を有している。仕切壁２は、ケース本体１の内部を前後に仕切るもので、後方側にダクト３を構成し、かつ前方側に収納室４を構成している。
【００１７】
ダクト３は、収納室４の前方下部に開口する吸込口３ａを有し、かつ収納室４の前方上部に開口する吹出口３ｂを有したもので、その内部に循環ファン５及び蒸発器６を備えている。ダクト３の吸込口３ａ及び吹出口３ｂは、ケース本体１の前面開口１ａを介して互いに対向するように設けてある。循環ファン５は、図示せぬモータによって回転駆動し、吸込口３ａから外部（収納室４）の空気をダクト３に吸い込む一方、ダクト３の空気を吹出口３ｂから外部（収納室４）に吹き出すように動作するものである。蒸発器６は、図には明示していないが、圧縮機、凝縮器及び膨張機構とともに構成される冷却装置の吸熱要素であり、ダクト３の内部において通過する空気を冷却するように機能する。
【００１８】
収納室４は、商品を収納するためのスペースであり、仕切壁２の両側部位にそれぞれ左右一対の棚支柱７を備えている。棚支柱７は、収納室４の全高に亘って上下方向に沿って配設してある。棚支柱７の相互間には、複数の商品載置棚１０が設けてある。
【００１９】
商品載置棚１０は、左右一対の棚受け１１と棚板１２とを備えて構成したもので、左右の棚受け１１を棚支柱７に支持させることにより、図１に示すように、ケース本体１の収納室４に上下方向に沿って並べて配設してある。以下においては、商品載置棚１０の構成要素及び該商品載置棚１０に取り付けられた要素については便宜上、ケース本体１に取り付けた状態でそれぞれの方向を特定することにする。
【００２０】
棚受け１１は、ブラケット１１ａや支持部材等を備えた従来公知のものであり、その詳細の説明については割愛する。これら左右一対の棚受け１１は、ブラケット１１ａの図示せぬ係止爪を棚支柱７の係止孔（図示せず）に挿入して係合させることにより、棚支柱７の前面から前方に突出する態様で取り付けてある。
【００２１】
棚板１２は、矩形状を成す板状部材であり、左右一対の棚受け１１に架け渡されるように配置して構成してある。この棚板１２の上面１２ａは、商品を載置するための載置面を構成している。
【００２２】
このように構成される商品載置棚１０には、図２及び図３に示すように、ガイド部材２０が取り付けてある。ガイド部材２０は、商品載置棚１０の前端部分に取り付けてある。
【００２３】
ガイド部材２０は、例えば透明等の光透過性材料により構成される樹脂製のもので、左右方向が長手方向となる長尺状部材である。このガイド部材２０は、商品載置棚１０の前端部分の全域に亘って取り付けてあり、フェンス部２１、ガイド部２２及びプライスレール部２３を備えている。
【００２４】
フェンス部２１は、上下方向に沿って延在する平板状部分である。このフェンス部２１は、下端部に商品載置棚１０に取り付けられる取付片２１１が設けられており、商品載置棚１０の載置面（棚板１２の上面１２ａ）よりも上方に突出する態様で形成してある。かかるフェンス部２１は、載置面に載置された商品が前方に向けて転落することを防止するためのものである。
【００２５】
ガイド部２２は、フェンス部２１に前方側に形成されており、前延部分２２１と連結部分２２２と補強部分２２３とを有している。前延部分２２１は、左右一対のものであり、フェンス部２１の左右両端部より前方に向けて延在する部分である。
【００２６】
連結部分２２２は、左右方向に沿って延在する長尺状部分であり、前延部分２２１の延在端部である前端部分同士を連結するものである。つまり連結部分２２２は、フェンス部２１からは前方に離隔しており、このフェンス部２１と前延部分２２１とにより、スリットＳを形成している。スリットＳは、左右方向が長手方向となる長孔であり、吹出口３ｂから吹き出された空気が通過して吸込口３ａに吸い込まれることを許容するものである。
【００２７】
補強部分２２３は、複数（図示の例では３つ）あり、前延部分２２１間において、所定の間隔で連結部分２２２とフェンス部２１とに連結してある。
【００２８】
プライスレール部２３は、ガイド部２２の前方側に形成されており、前延底部分２３１と上延部分２３２とを有している。前延底部分２３１は、連結部分２２２の下端部より前方に向けて延在する部分である。上延部分２３２は、前延底部分２３１の延在端部である前端部より上方に向けて延在する部分であり、後面が連結部分２２２の前面に対向している。このようなプライスレール部２３においては、ガイド部２２の連結部分２２２との間に進入溝Ｍが形成してあり、上延部分２３２の後面と連結部分２２２の前面とには、互い違いとなる態様で複数の突部２３３が形成してある。かかるプライスレール部２３は、商品価格が表示されたタグ３０が進入溝Ｍに進入されることを許容し、かつ進入されたタグ３０を突部２３３により容易に外れやすさがない効果を持たせて保持するものである。
【００２９】
このようにガイド部材２０は、ガイド部２２のスリットＳがフェンス部２１を利用して形成してあるとともに、プライスレール部２３の進入溝Ｍがガイド部２２（連結部分２２２）を利用して形成してあり、フェンス部２１、ガイド部２２及びプライスレール部２３が一体的に形成されて構成してある。
【００３０】
以上のような構成を有するショーケースにおいては、冷却装置が動作している状態で循環ファン５が駆動すると、吸込口３ａからダクト３に吸い込まれた空気が蒸発器６で冷却された後に吹出口３ｂから吹き出され、各商品載置棚１０に取り付けられたガイド部材２０のスリットＳを通過した後に再び吸込口３ａからダクト３に吸い込まれることになる。この間、ケース本体１の収納室４においては、ダクト３の吹出口３ｂから吹き出された空気や仕切壁２の吐出口（図示せず）から吐出された空気によって冷却することになり、商品載置棚１０に載置された商品を所望の冷却温度に維持した状態で収納することができる。
【００３１】
しかも、ガイド部材２０が、吹出口３ｂから吹き出された空気がスリットＳを通過して吸込口３ａに吸い込まれることを許容しているので、蒸発器６で冷却された空気（冷気）が前面開口１ａを通じてケース本体１の外部に漏れてしまういわゆる冷気漏れの発生を低減することができる。
【００３２】
以上説明したように、本発明の実施の形態であるショーケースによれば、商品載置棚１０に取り付けられるガイド部材２０が、商品載置棚１０の商品を載置する載置面よりも上方に突出する態様で形成され、該載置面に載置された商品が前方に向けて転落することを防止するためのフェンス部２１と、フェンス部２１の前方に形成され、かつ吹出口３ｂから吹き出された空気が通過して吸込口３ａに吸い込まれることを許容するスリットＳを有するガイド部２２と、ガイド部２２の前方に形成され、かつ商品価格が表示されたタグ３０を保持するためのプライスレール部２３とが一体的に形成されて構成されているので、部品点数を削減して製造コストの低減化を図ることができる。
【００３３】
上記ショーケースによれば、ガイド部材２０が樹脂により構成されているので、ガイド部材２０自身の軽量化を図ることができ、これにより該ガイド部材２０が取り付けられる商品載置棚１０の軽量化を図ることができる。
【００３４】
また上記ショーケースによれば、ガイド部材２０が、例えば透明な透光性材料により構成されているので、商品載置棚１０の前端部分に取り付けられても該商品載置棚１０に載置された商品を視認させることができ、視認性の向上を図ることができる。
【００３５】
以上、本発明の好適な実施の形態について説明したが、本発明はこれに限定されるものではなく、種々の変更を行うことができる。
【００３６】
上述した実施の形態では、ガイド部材２０は、１つであり、商品載置棚１０の前端部分に取り付けられていたが、本発明においては、ガイド部材は、長手方向である左右方向に分離された複数の構成要素により構成されていてもよい。この場合、ガイド部材の一部が損傷した場合、当該損傷した構成要素のみ交換すればよく、コストの低減化を図ることができる。
【符号の説明】
【００３７】
１…ケース本体、２…仕切壁、３…ダクト、３ａ…吸込口、３ｂ…吹出口、４…収納室、５…循環ファン、６…蒸発器、１０…商品載置棚、１１…棚受け、１２…棚板、１２ａ…上面、２０…ガイド部材、２１…フェンス部、２２…ガイド部、２２１…前延部分、２２２…連結部分、２２３…補強部分、２３…プライスレール部、２３１…前延底部分、２３２…上延部分、２３３…突部、３０…タグ、Ｍ…進入溝、Ｓ…スリット。
【図１】
2020151016.tif 000003
【図２】
2020151016.tif 000004
【図３】
2020151016.tif 000005
【図４】
2020151016.tif 000006